(57)【要約】      （修正有）【課題】カウントの取り間違いを防ぐものでかつサーブをする位置をわかるようにし、また過激な運動に対し表示したカウントが動いて間違わないようにし、プレー中にカウントが簡単操作できるテニスカウント表示器を提供する。【解決手段】板バネを利用して適度の抵抗を付けると共にダイヤルが逆転しないようにした表示器で、作動しやすいよう手首に装着するものであり形状はなるべく手首の幅に収まる小型で厚みの少ないものとする。軽くコンパクトな形状で手首に装着でき、ゲーム・セット終了時毎に簡単に操作してカウント忘れや間違いをなくすことができる。【選択図】図１
0003162715.tif 000002
【実用新案登録請求の範囲】
【請求項１】
本考案の平面図、図１に示すようにダイヤルを廻すことによりカウントをポイントごとに表示し、ゲームのダイヤル数字を色分けすることでサーブの位置の確認ができる、またテニスのプレーに邪魔にならぬよう手首に装着でき激しい動き、転倒による衝撃にもカウントがずれないようにし、簡単にカウントを表示出来るものである。
【考案の詳細な説明】
【技術分野】
【０００１】  この実用新案は、テニスのセットカウント及びゲームカウントを表示してカウントの取り間違いを防ぐものである。
【背景技術】
【０００２】  現在ある野球のカウント表示器は審判が使用する為、プレーする人が持つには邪魔になる。テニスの試合でプレーヤー自身がジャジする時にプレーに支障にならぬよう簡素化し手軽に操作できるようにしたものである。
【考案の概要】
【実用新案が解決しようとする課題】
【０００３】  カウントの取り間違いを防ぐものでかつサーブをする位置をわかるようにしたもの、また過激な運動に対し表示したカウントが動いて間違わないようにする、プレー中にカウントが簡単操作できるものとする。
【課題を解決するための手段】
【０００４】  以上の課題を解決するために板バネを利用して適度の抵抗を付けると共にダイヤルが逆転しないようにした表示器で、作動しやすいよう手首に装着するものであり形状はなるべく手首の幅に収まる小型で厚みの少ないものとする。
【考案の効果】
【０００５】  上述の様に、簡単に片手でカウント表示でき、表示されたゲームカウントの数字を色分けすることによりサーブする位置（左側か右側か）もわかるものである。（同色を偶数とすると右側プレー開始のサーブ位置からのサーブとなり、色が異なる場合左側からのサーブとなる）交互に替えなくてはならないサーブの位置の忘れ防止にもなる。
【図面の簡単な説明】
【０００６】
【図１】本考案の平面図である
【図２】本考案の分解立面図（省略図含む）である。
【図３】本考案裏側の腕に装着する腕バンド図である
【図４】本考案の腕に装着した図である
【考案を実施するための最良の形態】
【０００７】  この考案はダイヤル方式で回転するゲームカウント用とセット用のダイヤルに表示された数字が区切りよく表示位置で止まるように板バネをダイヤルの下部に設けダイヤルの裏にある溝に板バネがカッチと収まる構造にしたものである。
【実施例】
【０００８】  表示器のダイヤル式は、ゲーム終了時に０に戻るようダイヤル式にして次の試合が速やかに出来るようにしたものである。
プレーに邪魔にならぬ場所としては手首に固定することで作動しやすく小型で軽いので違和感無くプレーに集中できる。【０００９】  審判のいない（審判のいることは殆ど少なくプレーヤー同士でカウントするのが主流である）練習試合等ではテニスのゲームカウントを取るには慣れが必要で、特に初心者はプレーに熱中するとカウントやサーブ位置を忘れてしまいがちである、そこでこのカウント表示器があれば安心して試合に熱中できトラブル解消にもつながる。
【符号の説明】
【０００１０】１  カウント表示器本体
２  ダイヤル
３  カウント数字表示穴
４  上蓋
５  ダイヤル裏部の数字止め凹部
６  板バネ本体
７  板バネ（ダイヤル裏の数字止め凹部へ入る凸部分）
８  板バネを止める穴
９  本体底部分
１０  ダイヤル及び本体固定部
１１  リストバンド固定具
１２  リストバンド
１３  マジックテープ
【図１】
0003162715.tif 000003
【図２】
0003162715.tif 000004
【図３】
0003162715.tif 000005
【図４】
0003162715.tif 000006
【手続補正書】
【提出日】平成22年6月29日(2010.6.29)
【手続補正１】
【補正対象書類名】実用新案登録請求の範囲
【補正対象項目名】全文
【補正方法】変更
【補正の内容】
【実用新案登録請求の範囲】
【請求項１】
カウント表示出来るよう回転するポイント数字入りダイヤルをゲームカウント用２個、セットカウント用２個を相手側と自分側に設け、ゲームポイントごとにダイヤルを回しポイントを確認するカウント数字表示穴を設ける、またセット用ダイヤルの数字部分を色分けすることで毎回変わるサーブの位置が確認できるカウント表示器。
【手続補正２】
【補正対象書類名】明細書
【補正対象項目名】全文
【補正方法】変更
【補正の内容】
【考案の詳細な説明】
【技術分野】
【０００１】
この実用新案は、テニスの試合でセットカウント及びゲームカウントを表示してカウントの取り間違いを防ぐものである。
【背景技術】
【０００２】
現在ある野球のカウント表示器は審判が使用する為、プレーする人が持つには邪魔になる。テニスの試合でプレーヤー自身がジャジする時にプレーに支障にならないよう簡素化し手軽に操作できるようにしたものである。
【先行技術文献】
【非特許文献】
【０００３】
【非特許文献１】株式会社エバニュー（野球カウント器）
【考案の概要】
【考案が解決しようとする課題】
【０００４】
カウントの取り間違いを防ぐと共にサーブをする位置をわかるようにしたもの、また
過激な運動に対し表示したカウントが動いて間違わないようにする、プレー中にカウントが簡単操作できるものとする。
【課題を解決するための手段】
【０００５】
以上の課題を解決するために板バネを利用して適度の抵抗を付けると共にダイヤルが
逆転しないようにした表示器で、作動しやすいよう手首に装着できる形式でなるべく手首の幅に収まる小型で厚みの少ないものとする。                                                                                                      
【考案の効果】
【０００６】
上述の様に、簡単に片手でカウント表示でき、表示されたゲームカウントの数字を色分けすることによりサーブする位置（左側か右側か）もわかるものである。（同色を偶数
とすると右側プレー開始のサーブ位置からのサーブとなり、色が異なる場合左側からのサーブとなる）交互に替えなくてはならないサーブの位置の忘れ防止にもなる。
【図面の簡単な説明】
【０００７】
【図１】本考案の平面図である。
【図２】本考案の分解立面図（省略図含む）である。
【図３】本考案裏側の腕に装着する腕バンド図である。
【図４】本考案の腕に装着した図である。
【考案を実施するための最良の形態】
【０００８】
この考案はダイヤル方式で回転するゲームカウント用とセット用のダイヤルに表示さ
れた数字が区切りよく表示位置で止まるように板バネをダイヤルの下部に設けダイヤルの裏にある溝に板バネがカッチと収まる構造にしたものである。
【実施例】
【０００９】
表示器のダイヤル式は、ゲーム終了時に０に戻るようダイヤル式にして次の試合が速やかに出来るようにしたものである。
プレーに邪魔にならぬ場所としては手首に固定することで作動しやすく小型で軽いので装着感が少なくプレーに集中できる。
【００１０】
審判のいない（審判のいることは殆ど少なくプレーヤー同士でカウントするのが主流である）練習試合等ではテニスのゲームカウントを取るには慣れが必要で、特に初心者はプレーに熱中するとカウントやサーブ位置を忘れてしまいがちである、そこでこのカウント表示器があれば安心して試合に熱中できトラブル解消にもつながる。
【符号の説明】
【００１１】
１カウント表示器本体
２ダイヤル  
３カウント数字表示穴  
４上蓋  
５ダイヤル裏部の数字止め凹部  
６板バネ本体
７板バネ（ダイヤル裏の数字止め凹部へ入る凸部分）  
８板バネを止める穴  
９本体底部分  
１０ダイヤル及び本体固定部  
１１リストバンド固定具  
１２リストバンド
１３マジックテープ（登録商標）